(57)【特許請求の範囲】
【請求項１】
装着する靴のタンの前端から履き口に至る長さを有するとともに、靴の甲の両羽根の下に達する幅を有するシート体からなり、前記タン上に重ねた状態で前記両羽根の下から前記両羽根の縁部近傍までの少なくともいずれかの範囲に存する両側部分に、他の部分よりも高く形成された遮蔽部材が設けられた内カバーを有する
靴用砂防止カバー。
【請求項２】
前記靴を装着する使用者の足首の全周に渡って密着するよう固定できる、装着時にリング状に形成される足首装着部と、
前記足首装着部の下縁に一体に設けられるシート体であって、前記足首装着部を前記足首に装着した状態において、少なくとも前記靴の履き口より下方に下端が至るシート体とからなる外カバーを有する
請求項１に記載の靴用砂防止カバー。
【請求項３】
前記外カバーのシート体の下端縁には紐状の弾性部材が当該下端縁に沿って設けられ、前記足首装着部を前記足首に装着した状態において、当該下端縁が靴の外面に接触した状態で前記弾性部材が押し広げられ、当該下端縁は前記弾性部材の縮む力により靴の外面に密着するように形成される請求項２に記載の靴用砂防止カバー。
【請求項４】
前記靴は紐靴であって、前記足首装着部を前記足首に装着した状態において、前記外カバーのシート体の靴紐部分に位置する下端近傍に、靴紐に係合する靴紐係合手段が設けられる請求項２又は３に記載の靴用砂防止カバー。
【請求項５】
前記足首装着部を前記足首に装着した状態において、前記外カバーのシート体の後方下端近傍に、前記靴のかかと部分に係合固定できるかかと部係合手段が設けられる請求項２から４のいずれか１項に記載の靴用砂防止カバー。
【請求項６】
前記足首装着部を前記足首に装着した状態において、前記外カバーのシート体の、前記内カバーの少なくとも上面後端近傍に重なる裏面に、表面に毛が密集したシートである外カバー部起毛シートが設けられる請求項２から５のいずれか１項に記載の靴用砂防止カバー。
【請求項７】
前記内カバーの少なくとも上面後端側には、表面に毛が密集したシートであるタン部起毛シートが固定される請求項１から６のいずれか１項に記載の靴用砂防止カバー。
【発明の詳細な説明】
【技術分野】
【０００１】
本発明は、靴に装着し靴内に砂が侵入することを防ぐためのカバーに関する。
【背景技術】
【０００２】
近年、テニスコートは、プレイ中の膝への負担が少なくメンテナンスが容易であることから、人工芝の表面に砂を敷いたオムニコートが主流になってきている。このようなオムニコートでテニスをすると表面に敷かれた砂が靴の中に大量に入り、靴の中の砂はさらに靴下を通して素足にも広がることとなり、大変不快であるとともに、靴や靴下の損耗も激しいという問題が生じる。
このような問題を解決するものとして、下記特許文献１にはオムニコートでテニスをするための靴用のカバーが開示されている。この靴用カバーは、足首に固定するベルトの下方に下端が靴の底よりやや上に位置する程度の長さを有するシートを設け、このシートにより靴を覆うことで砂の侵入を抑制するものである。
【先行技術文献】
【特許文献】
【０００３】
【特許文献１】特開2006-55601号公報
【特許文献２】特開平9-56402号公報
【特許文献３】実用新案登録第3146441号公報
【特許文献４】実用新案登録第3137205号公報
【特許文献５】特開2009-45187号公報
【発明の概要】
【発明が解決しようとする課題】
【０００４】
ところで上記特許文献１に記載の靴用カバーは、実施例に記載されているように当該靴用カバーを装着しない場合に比較して砂の侵入は２０％以下とされていることから、ある程度の量の砂が靴内に侵入していることが類推できる。これは、オムニコートから舞い上がる砂が、カバーの下端と靴との隙間から侵入し、靴のタン部や履き口から靴内に侵入しているものと考えられる。
特に低い位置にある靴のタン部は凹んでいるので砂がたまりやすく、ここから多くの砂が侵入するものと考えられる。これを防ぐためには、例えば、上記特許文献２〜５に記載されているような紐上部を覆うカバーを設けることが考えられる。
しかしながら、砂は下方から舞い上がってくる一方で、上記特許文献２〜５に記載のカバーはやはり下縁と靴との間に隙間があるので、ここから砂が侵入する恐れがある。
本発明は以上のような問題に鑑みて、靴に砂が侵入することを防止するカバーにおいて、従来のものよりもよりタン部からの靴内への砂の侵入を抑制するようにすることを課題とする。
【課題を解決するための手段】
【０００５】
上記課題を解決するために、本発明は次のような構成を有する。
請求項１に記載の発明は、装着する靴のタンの前端から履き口に至る長さを有するとともに、靴の甲の両羽根の下に達する幅を有するシート体からなり、前記タン上に重ねた状態で前記両羽根の下から前記両羽根の縁部近傍までの少なくともいずれかの範囲に存する両側部分に、他の部分よりも高く形成された遮蔽部材が設けられた内カバーを有する靴用砂防止カバーである。
請求項２に記載の発明は、請求項１に記載の発明において、さらに、前記靴を装着する使用者の足首の全周に渡って密着するよう固定できる、装着時にリング状に形成される足首装着部と、前記足首装着部の下縁に一体に設けられるシート体であって、前記足首装着部を前記足首に装着した状態において、少なくとも前記靴の履き口より下方に下端が至るシート体とからなる外カバーを有するものである。
請求項３に記載の発明は、請求項２に記載の靴用砂防止カバーにおいて、前記外カバーのシート体の下端縁には紐状の弾性部材が当該下端縁に沿って設けられ、前記足首装着部を前記足首に装着した状態において、当該下端縁が靴の外面に接触した状態で前記弾性部材が押し広げられ、当該下端縁は前記弾性部材の縮む力によって靴の外面に密着するように形成されるものである。なお、弾性部材は、シート体の下縁全部に設けられる必要はなく、一部のみ設けられるものでもよい。
【０００６】
請求項４に記載の発明は、請求項２又は３に記載の靴用砂防止カバーにおいて、前記靴は紐靴であって、前記足首装着部を前記足首に装着した状態において、前記外カバーのシート体の靴紐部分に位置する下端近傍に、靴紐に係合する靴紐係合手段が設けられるものである。
請求項５に記載の発明は、請求項２から４に記載の靴用砂防止カバーにおいて、前記足首装着部を前記足首に装着した状態において、前記外カバーのシート体の後方下端近傍に、前記靴のかかと部分に係合固定できるかかと部係合手段が設けられるものである。
請求項６に記載の発明は、請求項２から５に記載の靴用砂防止カバーにおいて、前記足首装着部を前記足首に装着した状態において、前記外カバーのシート体の前記内カバーの少なくとも上面後端近傍に重なる裏面に、表面に毛が密集したシートである外カバー部起毛シートが設けられるものである。
請求項７に記載の発明は、前記靴用砂防止カバーにおいて、前記内カバーの少なくとも上面後端側には、表面に毛が密集したシートであるタン部起毛シートが固定されるものである。
【発明の効果】
【０００７】
請求項１に記載の発明は、靴のタン部分に重ねた後に、両羽根部分を靴紐等で固定すると、両羽根の下又は縁のタン部分の前端から履き口までを遮蔽部材が塞ぐことになるので、タン部分に砂が入っても、砂はタンと両羽根との間を通り抜けることが困難となり、タン部分からの靴への砂の侵入を抑制することができる。
請求項２に記載の発明は、外カバーを足首に装着することで、靴の履き口が上方から覆われるので、履き口上方から直接砂が侵入することを防ぐことができる。
請求項３に記載の発明は、外カバーの下縁が弾性体で締め付けられて靴の外表面にほぼ密着するので、外カバーの下縁と靴との間から砂が侵入することを抑制することができる。
【０００８】
請求項４に記載の発明は、外カバーの先端側を靴紐に係合させることで外カバーが前方から捲くれ上がることを防止することができる。
請求項５に記載の発明は、外カバーの後方側を靴のかかと部分に係合させることで外カバーが後方から捲れ上がることを防止することができる。
請求項６に記載の発明は、外カバーの内カバーの上面後端近傍に重なる位置に毛が密集したシートを設けることで、当該毛が内カバー上面後端を覆うので、やはり、タン部に上がった砂がタン部上端を移動して履き口に至ることを抑制することができる。
請求項７に記載の発明は、内カバーの上面後端側に毛が密集したシートを設けることで、タン部に上った砂がタン部上端を移動して履き口に至ることを抑制することができる。
【図面の簡単な説明】
【０００９】
【図１】（ａ）は実施形態に係る靴用砂防止カバーを構成する内カバーの正面図であり、（ｂ）は当該内カバーの背面図であり、（ｃ）は当該内カバーの平面図であり、（ｄ）は当該内カバーの側面図である。
【図２】（ａ）は実施形態に係る靴用砂防止カバーを構成する外カバーの正面図であり、（ｂ）は当該内カバーの背面図である。
【図３】内カバーの第一の装着手順を示す図である。
【図４】内カバーの第二の装着手順を示す図である。
【図５】内カバーの第三の装着手順を示す図である。
【図６】外カバーの第一の装着手順を示す図である。
【図７】外カバーの第二の装着手順を示す図である。
【発明を実施するための形態】
【００１０】
以下、本発明の実施の形態について、図面を参照しながら説明する。
本実施形態に係る靴用砂防止カバーは、内カバーＸaと外カバーＸbとから構成される。図１（ａ）に内カバーＸaの平面図を、図１（ｂ）に内カバーＸaの底面図を、図１（ｃ）に内カバーＸaの背面図を、図１（ｄ）に内カバーＸaの側面図を示す。内カバーＸaは、タン部重合部１０、側壁部２０、内側起毛部３０、タン部係合部４０を有する。
タン部重合部１０は、砂が侵入しない程度に目の細かいメッシュ生地により形成される。タン部重合部は、装着する靴のタン部に重ねるものであり、当該タン部の前端から靴の履き口に至る長さを有するとともに、靴の甲の両羽根の紐穴よりも奥に達する幅を有する。また、タン部重合部１０をタン部に重ねたときに、タン部の靴紐を通す二筋の切れ目に重なる位置には、同様に二筋の切れ目１０ａが形成されている。
側壁部２０は、タン部重合部１０の両側縁のそれぞれに側縁に沿って立ち上がるように縫い付けられるやや厚手の細長い布からなる遮蔽部材である。側壁部２０は、タン部重合部１０の側縁が靴の羽根部の下に位置した状態で紐穴にかからない高さに設定される。
内側起毛部３０はタン部重合部１０表面の切れ目１０ａよりも後端に、全幅に渡って設けられる毛の密集したシートである。ここでは毛の密集したシートとしてモヘアの織物が使用される。
タン部係合部４０は、タン部重合部１０の裏面前端に全幅に渡って設けられる面ファスナーの係合部により形成される。
【００１１】
図２（ａ）に外カバーＸbの正面図を、図２（ｂ）に外カバーＸbの背面図を示す。外カバーＸbは、締結ベルト５０、カバーシート６０、固定フック７０、外側起毛部８０、かかと部係合部９０を有する。
締結ベルト５０は布製のベルトであって成人男性の足首外周よりもやや長く形成されている。締結ベルト５０の一端側の表面には一定長さを有する面ファスナーの係合部５０ａが縫い付けられるとともに、他端側の裏面には一定長さを有する面ファスナーの被係合部５０ｂが縫い付けられている。
カバーシート６０は、砂が侵入しない程度の目の細かいメッシュ生地により形成された扇型を有するシートである。カバーシート６０上端縁は締結ベルト５０よりやや短く形成され、締結ベルト５０の一端側から締結ベルトに沿って縫い付けられている。カバーシート６０の下縁は袋状になったゴム通しが形成されるとともに、内部に平ゴムが通されて両端が固定されることで、伸縮自在に形成される。なお、図２（ａ）（ｂ）はゴムが伸びた状態を示しており、力を加えないと下縁部は縮んで波打った状態となる。カバーシート下縁部の長さは、装着する靴のかかとから紐通しに通されたほぼ真ん中の紐の中央やや前方を通り、一周して再びかかとに戻る経路の長さにほぼ等しい。また、カバーシート６０の両端面はバイアステープが縫い付けられて補強されている。そして、カバーシート６０の表面の一端側には側縁に沿って一定幅を有する面ファスナーの係合部６０ａが設けられるとともに、カバーシート６０の裏面の他端側には側縁に沿って一定幅を有する面ファスナーの被係合部６０ｂが設けられている。
【００１２】
外側起毛部８０は、カバーシートの裏面下側中央に設けられる毛の密集したシートである。ここでは毛の密集したシートとしてモヘアの織物が使用される。外側起毛部８０の幅は装着する靴の紐通しの幅よりも広く、上下の長さは紐通しに通されたほぼ真ん中の紐から履き口をやや越える長さを有する。
固定フック７０は、カバーシート６０の裏面の下端側中央に設けられるフックである。固定フック７０は外側起毛部８０に重なる位置に設けられるので、外側起毛部８０の上に固定されている。
かかと部係合部９０は、カバーシート６０の裏面の他端側の下縁部に固定される面ファスナーの係合部により形成される。
【００１３】
次に、以上のような構成を有する内カバーＸa、外カバーＸbとからなる靴用砂防止カバーの使用方法について説明する。まず、図３に示すように靴紐を通す前の靴Ｓのタン部ｔに内カバーＸaを載せる。なお、靴Ｓのタン部ｔの前端には、内カバーＸａのタン部係合部４０に係合する面ファスナーの被係合部ｔａを予め固定しておくものとし、内カバーＸaをタン部ｔに載せる際には、タン部係合部４０をこの被係合部ｔａに係合させる。これにより図４に示すような状態となる。図の状態において、側壁部２０は、靴Ｓの羽根wとタン部ｔの端との間に挟まれ、側壁部２０は立ち上がるように形成されているので、側壁部２０によりタン部ｔと羽根wと間の隙間が塞がれることとなる。最後に、図５に示すように紐穴に靴紐を通す。この際、内カバーＸａの切れ目１０ａを介して、タン部ｔの二筋の切れ目の下に靴紐を通して靴紐とタン部とを密着させるようにする。以上で、内カバーＸaの装着が完了する。
【００１４】
外カバーＸbの装着に際しては、まず、前提として靴Sのかかと部に図６に示すように、かかと部係合部９０に係合する面ファスナーの被係合部ｈaを固定しておく。そして、この面ファスナーの被係合部ｈaに、かかと部係合部９０を係合させる。つぎに、締結ベルト５０及びカバーシート６０を足首を巻くように一周させて、締結ベルト５０を使用者の足首に隙間なく巻きつけ、締結ベルト５０の面ファスナーの係合部５０ａと被係合部５０ｂとを係合させて固定する。同様にカバーシート６０の面ファスナーの係合部６０ａと被係合部６０ｂとを係合させる。最後に、固定フック７０を靴紐に引っ掛けて固定する。この際、カバーシート６０下縁の平ゴムが十分に伸びるようにできるだけ前側の靴紐に固定フック７０を引っ掛けるようにする。以上により外カバーＸbの装着が完了し、図７に示すような状態となる。この状態において、外カバーＸbの下縁部は伸ばされた平ゴムが縮もうとするので、靴の側面からかかとに至るまでほぼ隙間無く靴に接触する。また、外カバーＸb裏面の外側起毛部８０は履き口に近い靴紐全体を覆うとともに、履き口近傍で内カバーＸaの内側起毛部３０に相対して接触し合うこととなる。なお、外カバーＸbの装着手順は、適宜変更でき、先に、締結ベルト５０の面ファスナーの固定、カバーシート６０の面ファスナーの固定、かかと部係合部９０と靴かかとの面ファスナーの固定、固定フック７０と靴紐との固定は、どのような順で行なってもよい。
【００１５】
このように内カバーＸaと外カバーＸbとを靴に装着した状態で、オムニコート上でテニスを行なうと、外側から巻き上がった砂は締結ベルト５０及びカバーシート６０により遮られ、また、カバーシート６０と靴との隙間から侵入しようとする砂もほとんどが、靴の表面に接するカバーシート６０の下縁によって防がれる。さらに、少しの砂が、カバーシート６０と靴との隙間から入って、タン部にまで侵入しても、タン部の両側は内カバーＸａの側壁部２０により遮られているので、ここから砂は内部に侵入することは困難であり、タン部から上方に移動しようとする砂は、内側起毛部３０と外側起毛部８０とに遮られて、やはり上方へ移動することは極めて難しいため、たとえタン部に砂が侵入しても、靴の内部までこれらの砂が侵入することとはほとんどない。また、履き口の両側の側面はカバーシート６０の下縁のみならず、カバーシート６０の他の面も接触しており、また、履き口までの距離があるので、カバーシート６０と靴との隙間から砂が履き口に直接侵入することも困難である。
【００１６】
なお、上記実施形態では、遮蔽部材としての内カバーＸaの側壁部２０は、タン部重合部１０の両側縁に立ち上がるように縫い付けられる布により形成したが、遮蔽部材は砂を遮断できれば種々の構成を採用でき、起毛したシートや表面ゲル状のシートをタン部重合部１０の縁部に沿って固定したり、靴の羽根の下面に面ファスナーの被係合部を前後に沿って貼り付け、これに係合する面ファスナーの係合部をタン部重合部１０の縁部に沿って貼り付けたりするようにしてもよい。さらに、断面コの字に形成される、靴の羽根縁部に係合する溝が形成された細長い部材をタン部重合部１０の両縁に固定し、当該溝を靴の羽根縁部に係合させるようにしてもよい。
また、上記形態では、靴と外カバーとはかかと側において、かかと部分に貼り付けた面ファスナーの被係合部と外カバーに設けた面ファスナーの係合部との係合により固定しているが、この部分の係合も適宜変更でき、磁石やスナップボタンによる係合を採用したり、靴側に加工することなく外カバーにかかとに嵌るＵ字に形成した弾性部材を固定し、この弾性部材で靴のかかとを狭持固定するようにしたり等種々の方法を採用できる。
さらに、上記実施形態では外カバーは靴に巻きつけるようにして固定しているが、締結ベルトを伸縮性のあるリングとしカバーシートを下方が広がった筒状とすることで、靴下のように脚に履くようにして固定することもできる。この場合、締結ベルトが十分に大きく広がる場合は、靴の上から装着でき、そうでない場合は、靴を履く前に装着すればよい。
【符号の説明】
【００１７】
Ｘa  内カバー
１０  タン部重合部
２０  側壁部
３０  内側起毛部
４０  タン部係合部
Ｘb  外カバー
５０  締結ベルト
６０  カバーシート
７０  固定フック
８０  外側起毛部
９０  かかと部係合部
【要約】
【課題】靴に砂が侵入することを防止するカバーにおいて、従来のものよりもよりタン部からの靴内への砂の侵入を抑制するようにすることを課題とする。
【解決手段】靴用砂防止カバーとして、装着する靴のタンの前端から履き口に至る長さを有するとともに、靴の甲の両羽根の下に達する幅を有するシート体からなり、前記タン上に重ねた状態で前記両羽根の下から前記両羽根の縁部近傍までの少なくともいずれかの範囲に存する両側部分に、他の部分よりも高く形成された遮蔽部材が設けられた内カバーを設ける。
【選択図】  図１【図１】
0005486119.tif 000002
【図２】
0005486119.tif 000003
【図３】
0005486119.tif 000004
【図４】
0005486119.tif 000005
【図５】
0005486119.tif 000006
【図６】
0005486119.tif 000007
【図７】
0005486119.tif 000008